(57)【要約】      （修正有）【課題】軽量化と乗員の剛性感の向上を図ること。【解決手段】車体側部材側に取り付ける第２取付部材と、車体側部材に支持される被支持部材側に有するブラケットが圧入される筒状部２１を備えた第１取付部材２と、これら第１と第２の取付部材の間に介在するラバー６を備え、第１取付部材２に設けられた第１ストッパ部４１と、第２取付部材に設けられた第２ストッパ部とで、第１と第２の取付部材の相対変位を規制し、第１ストッパ部４１は、筒状部２１よりもブラケットの圧入方向の先端側部位にコア２７と一体に設けられ、筒状部の第１ストッパ部４１との対向部位に、該第１ストッパ部４１を形成する壁部４１１に一体に係合する係合突片２４が設けられた。【選択図】図６
2018013228.tif 000002
【特許請求の範囲】
【請求項１】
車体側部材に支持される被支持部材側に有するブラケットが圧入される筒状部を備えた第１取付部材に、前記ラバーよりも硬質のコアが一体に設けられ、
前記第１取付部材の前記コアを含む部位と、前記車体側部材側に取り付ける第２取付部材との間に前記ラバーが介在された自動車の防振装置であって、
前記第１取付部材に設けられた第１ストッパ部と、前記第２取付部材における該第１ストッパ部に対向する部位に設けられた第２ストッパ部とで、前記第１取付部材と前記第２取付部材との相対変位を規制するストッパ手段が形成され、
前記第１ストッパ部は、前記筒状部よりも前記ブラケットの圧入方向の先端側部位に前記コアと一体に設けられ、
前記筒状部の前記第１ストッパ部との対向部位に、該第１ストッパ部におけるストッパ面を形成する壁部に一体に係合する係合突片が設けられた
自動車の防振装置。
【請求項２】
前記壁部を内壁部とし、
前記第１ストッパ部が、前記内壁部と該内壁部よりも前記コアに対して離間する側に有する外壁部と、下壁部とにより、突状の前記第２ストッパ部と係合する断面凹状に形成され、
前記下壁部に、前記外壁部と前記コアを連結する連結部が設けられた
請求項１に記載の自動車の防振装置。
【請求項３】
前記被支持部材はパワーユニットである
請求項１、又は２に記載の自動車の防振装置。
【請求項４】
請求項２に記載の自動車の防振装置を前記被支持部材の幅向の一方に配設された一方側の防振装置と、他方に配設された他方側の防振装置とで構成され、
前記一方側の防振装置は、該一方側の防振装置に備えた前記ストッパ手段により幅方向の一方側から前記相対変位量を規制する車体側の位置に取り付けられるとともに、前記他方側の防振装置は、該他方側の防振装置に備えたストッパ手段により幅方向の他方側から前記相対変位量を規制する車体側の位置に取り付けられた
自動車の防振構造。
【発明の詳細な説明】
【技術分野】
【０００１】
この発明は、エンジンマウント等として用いられ、車体側部材に支持されるエンジン等の被支持部材の振動を吸収する自動車の防振装置、および該防振装置を搭載した自動車の防振構造に関する。
【背景技術】
【０００２】
自動車の防振装置は、通常、車体側部材に支持される被支持部材側に取り付ける第１取付部材と、車体側部材に取り付ける第２取付部材と、これらの間に介在するラバーとを備えている。
【０００３】
このような防振装置の中には、特許文献１，２に例示されるように、被支持部材に設けられたブラケットを圧入により第１取付部材に取り付ける方式を採用したものが知られている。
【０００４】
第１取付部材は、被支持部材側に有するブラケットを圧入して取り付ける筒状部を有しており、この筒状部の側壁部には、ラバーの弾性特性を適性化するためにラバーよりも硬質なコアが設けられ、上記ラバーはこれらコアを覆うようにして第１取付部材と第２取付部材との間に介在されている。そして、このような防振装置は、ラバーの厚みや形状をコントロールすることで所望の振動の減衰および吸収特性を確保することが従来より行われている。
【０００５】
ここで、特許文献１の防振装置に備えた第１取付部材は、筒状部とコアとが一体に形成されたものであり、金属材料を用いた成形等により、筒状部と、該筒状部から下方へ向かって突出するコアとしての固着筒部とが一体に形成されたものである。
【０００６】
しかし、特許文献１の第１取付部材は、コアを含めて全体を金属材料で形成しているため、軽量化について改善の余地があるとともに、筒状部と、該筒状部の一部からコアに相当する形状になるように突出した突出部とで一体に成形等したものであるため、加工性の観点からも改善の余地があった。
【０００７】
このため、このような第１取付部材全体を、筒状部を含めて樹脂材料により形成することが考えられるが、その場合には、第１取付部材は、エンジン側のブラケットの圧入時の負荷に耐え得る剛性を確保するために特に筒状部が肉厚となるおそれがある。それ故、樹脂材料で形成した第１取付部材は、金属材料で形成するよりも大型化するとともに樹脂化することでかえって高重量化を招くおそれもあった。
【０００８】
これに対して特許文献２の第１取付部材は、剛性が要求される筒状部を金属製とするとともに、コア部分を軽量な樹脂製として別々に形成したものを一体化したものである。さらに、特許文献２の第１取付部材には、筒状部におけるコアの取付け側の壁部は、該筒状部の壁部の一部から突出する部分（凹所）を有しない平坦状としたものが開示されており（特許文献２中の図６〜図８参照）、さらに平坦状の壁部に形成した貫通孔の縁部にコアを係合した構成が開示されていることから、上述した加工性、高重量化の課題について一定の改善が見受けられる。
【０００９】
ところで、防振装置には、大荷重入力時にラバーが過大に変形することによる損傷を防ぐとともに、防振装置がその周辺の部材に干渉しないように、振動伝達部材に対する振動発生部材の多方向の変位量を制限するストッパ手段を設けたものが存在する。
【００１０】
上述した特許文献２のものは、ストッパ手段を備えていないことから、エンジンマウント等として自動車に搭載した場合に、制動や旋回に伴い大荷重が入力された時に、被支持部材の車体に対する変位量が大きくなったり、上述したラバーの損傷や周辺の車体部材への干渉を防ぐために別のストッパ手段を設ける必要に迫られるおそれがあるため、制動時や旋回時に被支持部材に大きな荷重が加わることがある自動車に搭載するうえで改善の余地があった。
【００１１】
一方、上述した特許文献１のものには多方向のストッパ手段を備えており、その中の一つの側方ストッパ手段は、エンジンマウントに対して車両左右方向での過大な振動が入力されると、パワーユニット側に取り付けられたインナブラケットが車体側に取り付けられたアウタブラケットの側面に当接することでパワーユニットがそれ以上移動することを規制する構成としている。
【００１２】
しかし、側方ストッパ手段として互いに当接し合う一対の部材の一方の部材であるインナブラケットは、その先端部分が第１取付部材の筒状部に圧入されるため、このインナブラケットの筒状部への圧入量に応じて当接し合う一対の部材同士が当接する位置に違いが生じるおそれがある。すなわちインナブラケットの第１取付部材への圧入時における、ストッパ手段による規制位置の再現性を確保することが困難となるおそれがある。特に、第１取付部材の筒状部の壁部の内面は、ゴム等の弾性部材で形成されているため、該筒状部にインナブラケットを圧入する際の弾性部材の弾性変形に応じてインナブラケットの筒状部に対する圧入量の誤差が生じ易くなり、更にストッパ手段による規制位置に違いが生じるおそれがあった。
【００１３】
このようにストッパ手段による規制位置が、ブラケット圧入時の誤差によるバラつきによって適切に設定されない場合には、車両の制動や旋回時に、車体自体の慣性による負荷が乗員に加わり、さらにその後で、慣性により動き続けている被支持部材がストッパにより規制されることで停止したり、旋回直後にさらにもう一度乗員に負荷が加わるなど、挙動が多段階となるおそれがあり、乗員が抱く車両の剛性感（操安性）の悪化を招くおそれがあった。
【００１４】
すなわち、自動車の分野において防振装置に備えたストッパ手段は、車両の挙動に直結するため適切に機能させることが極めて重要となるが、特許文献１の防振装置に備えたストッパ手段においては、上述したストッパ手段による規制位置がブラケット圧入時の誤差によってバラつくことが考慮されておらず、自動車のエンジンマウント等のマウント部材として適用するには改善の余地があった。
【先行技術文献】
【特許文献】
【００１５】
【特許文献１】特開２０１５−１４０８７１号公報
【特許文献２】特開２０１５−３４６０３号公報
【発明の概要】
【発明が解決しようとする課題】
【００１６】
そこでこの発明は、軽量化と乗員の剛性感の向上を図ることができる自動車の防振装置および自動車の防振構造の提供を目的とする。
【課題を解決するための手段】
【００１７】
この発明の自動車の防振装置は、車体側部材に支持される被支持部材側に有するブラケットが圧入される筒状部を備えた第１取付部材に、前記ラバーよりも硬質のコアが一体に設けられ、前記第１取付部材の前記コアを含む部位と、前記車体側部材側に取り付ける第２取付部材との間に前記ラバーが介在されたものであって、前記第１取付部材に設けられた第１ストッパ部と、前記第２取付部材における該第１ストッパ部に対向する部位に設けられた第２ストッパ部とで、前記第１取付部材と前記第２取付部材との相対変位を規制するストッパ手段が形成され、前記第１ストッパ部は、前記筒状部よりも前記ブラケットの圧入方向の先端側部位に前記コアと一体に設けられ、前記筒状部の前記第１ストッパ部との対向部位に、該第１ストッパ部におけるストッパ面を形成する壁部に一体に係合する係合突片が設けられたものである。
【００１８】
上記構成によれば、係合突片により、コアと筒状部の結合力向上と、ストッパ荷重の筒状部への分散性向上による被支持部材の変位制御の精度（操安性）の向上とを両立することができる。
【００１９】
この発明の態様として、前記壁部を内壁部とし、前記第１ストッパ部が、前記内壁部と該内壁部よりも前記コアに対して離間する側に有する外壁部と、下壁部とにより、突状の前記第２ストッパ部と係合する断面凹状に形成され、
前記下壁部に、前記外壁部と前記コアを連結する連結部が設けられたものである。
【００２０】
上記構成によれば、コアを利用して第１ストッパ部の外壁部を補強し、筒状部の軸方向の内壁部の有する側と反対側への変位（抜け側変位）も強固に規制することができる。
【００２１】
またこの発明の態様として、前記被支持部材はパワーユニットである。  
前記パワーユニットとしては、エンジンやトランスミッションに限らず、モータ、発電機、燃料電池等の重量物である車載部品も含む。また前記被支持部材は、パワーユニット以外の振動を発生する部材も含むものとする。
【００２２】
上記構成によれば、樹脂等で軽量にコアを軽量に形成した場合であっても、重量物であるパワーユニットの変位規制を確実に制御でき操安性を向上することができる。
【００２３】
またこの発明の自動車の防振構造は、上述した自動車の防振装置を前記被支持部材の幅向の一方に配設された一方側の防振装置と、他方に配設された他方側の防振装置とで構成され、前記一方側の防振装置は、該一方側の防振装置に備えた前記ストッパ手段により幅方向の一方側から前記相対変位量を規制する車体側の位置に取り付けられるとともに、前記他方側の防振装置は、該他方側の防振装置に備えたストッパ手段により幅方向の他方側から前記相対変位量を規制する車体側の位置に取り付けられたものである。
【００２４】
上記構成によれば、一方側と他方側との各防振装置によりストッパ荷重を分散できるため、夫々の防振装置の小型軽量化を図りつつ車体変形（剛性感悪化）を抑制することができる。
【発明の効果】
【００２５】
この発明によれば、軽量化と乗員の剛性感の向上を図ることができる自動車の防振装置および自動車の防振構造を提供することができる。
【図面の簡単な説明】
【００２６】
【図１】本実施例の自動車の防振構造を示す平面図。
【図２】エンジンブラケットを圧入した状態の本実施例の防振装置の外観図。
【図３】一部断面で示した防振装置の外観図。
【図４】エンジンブラケットを含めて示した防振装置の分解外観図。
【図５】一部省略して示した防振装置の分解外観図。
【図６】図３のＢ−Ｂ線断面図で示した防振装置の要部の断面図。
【図７】一部省略して示した防振装置およびエンジンブラケットの平面図。
【図８】エンジンブラケットおよび一部省略して示した本実施例の防振装置の側面図。
【図９】本実施例および他の実施例の防振装置の構成説明図。
【図１０】他の実施例の防振装置の構成説明図。
【発明を実施するための形態】
【００２７】
この発明の一実施例を以下図面に基づいて詳述する。  
図１は、フロントバンパ、フロントフェンダ、ボンネットを取り外した状態で示す車両用エンジンの前部構造の平面図であって、本実施例の防振装置を搭載した自動車の防振構造を示している。
【００２８】
この図１において、車両の前後方向に延びる左右一対のフロントサイドフレーム１０１，１０１と、該フロントサイドフレーム１０１，１０１の前部において車幅方向に延びるシュラウドパネル１０２と、図示しないダッシュロアパネルとで囲繞された空間を、エンジンルーム１０３としている。  
この車両についての前、後、左、右、上及び下を、それぞれ単に前、後、左、右、上及び下という。また、図中、矢印Ｆは車両の前方、矢印Ｒは車両の後方、矢印Ｒｔは車両の右方、矢印Ｌは車両の左方、矢印Ｕは車両の上方を示す。
【００２９】
上述のエンジンルーム１０３にはクランク軸線が車幅方向に向くようにエンジン１０４を横置きで配置し、該エンジン１０４の左側にはトランスミッション１０５を連結し、上述のエンジン１０４とトランスミッション１０５とでパワーユニット１０６（パワートレイン）を構成している。
【００３０】
このパワーユニット１０６はボディ側に防振装置を介して３点支持されている。すなわち、該パワーユニット１０６は、車幅方向一方側（右側）の防振装置としてのエンジンマウント１Ｒと、車幅方向他方側（左側）の防振装置としてのミッションマウント１Ｌと、図示しないペリメータフレームに支持される防振装置としてのマウントとの３点で支持されている。
【００３１】
これら３つの防振装置のうち、パワーユニット１０６をその幅方向の両側から支持するエンジンマウント１Ｒとミッションマウント１Ｌとは、略対称形状に構成されているため、以下ではエンジンマウント１Ｒの構成について図２〜図９（ａ）、（ｂ）を参照しながら説明し、ミッションマウント１Ｌの具体的な構成については省略する。
【００３２】
なお、図２はエンジンブラケットを圧入した状態の本実施例の防振装置の外観図、図３はアウタ部材とエプロン取付けブラケットを図２のＡ−Ａ線矢視断面により示した本実施例の防振装置の外観図、図４はエンジンブラケットを含めて示した防振装置の分解外観図、図５はアウタ部材およびエプロン取付けブラケットを省略した防振装置の分解外観図、図６は図３のＢ−Ｂ線矢視すなわち、筒状部の前後方向の中間部の切断図で示した本実施例の防振装置の要部の縦断面図、図７は、エンジンブラケットを圧入した状態の本実施例の防振装置の平面図、図８は、エンジンブラケットを圧入した状態の本実施例の防振装置の右側面図、図９（ａ）は本実施例の筒状部本体の右側面図、図９（ｂ）は本実施例のコアと筒状部を図３のＢ−Ｂ線矢視により模式的に示した断面図である。但し、図６〜図８ではアウタ部材、エプロン取付けブラケットおよびエンジンブラケットの図示を省略している。
【００３３】
また、以下に説明するエンジンマウント１Ｒについての前、後、左、右、上及び下は、それぞれ、エンジンマウント１Ｒが上記車両に搭載された状態での前、後、左、右、上及び下のことであり、上記車両についての前、後、左、右、上及び下と同じである。
【００３４】
本実施例のエンジンマウント１Ｒは、パワーユニット１０６側に取り付ける内側取付部材２と、車体側に取り付ける外側取付部材３と、これら取付部材の間に介在させるラバー６とを有して構成される。
【００３５】
内側取付部材２は、筒状部２１と、筒状部２１に対して右側に並設された凹状ストッパ部４１と、筒状部２１に対して下側から突設するコア２７（図５、図６参照）とを有して一体に構成されている。
【００３６】
図５、図６に示すように、筒状部２１は、鉄、ステンレス、アルミ二ウム、或いはこれらを含む合金からなる金属材料でプレス成形や押出し成形等により形成された筒状部本体２２と、該筒状部本体２２に一体に装着された樹脂製の筒状部装着ラバー２３とで形成されている。
【００３７】
筒状部２１は、筒軸方向（左右方向）に沿って貫通する貫通孔２９を内部に有する略四角筒状に形成され、上下各側で対向配置する上壁部２２１および下壁２２２と、これら上壁部２２１および下壁２２２とを一体に連結するとともに前後各側で対向する前壁部２２３および後壁部２２４とで形成されている（図５参照）。筒状部２１の外周面は、上壁部２２１および下壁２２２が、筒軸方向視で前壁部２２３および後壁部２２４よりも幅広（前後方向に長尺）となる長方形状に形成されている。
【００３８】
図４に示すように、筒状部本体２２の前壁部２２３の前面（外面）、後壁部２２４の後面（外面）、上壁部２２１の上面（外面）の夫々には、筒状部装着ラバー２３としてのブロック状の前側ラバー２３ｆ、ブロック状の後側ラバー２３ｒ、板状の上側ラバー２３ｕが固着されている。さらに、図５、図６に示すように、筒状部２１の本体の内周面には、筒状部装着ラバー２３としての膜状の内周ラバー２３ａによって全体が覆われた状態で固着されている。
【００３９】
筒状部２１は、その貫通孔２９にエンジンブラケット８の後述する延設部８４が圧入される被圧入部であり、該筒状部２１の貫通孔２９に延設部８４が圧入されることにより、エンジンマウント１Ｒは、エンジンブラケット８を介してパワーユニットに備えたエンジン１０４と連結される。
【００４０】
ここで、図４に示すように、エンジンブラケット８は、下方へ向けて互いの間隔が徐々に離間しながら延びる逆Ｖ字形状の一対の脚部８１，８１と、一対の脚部８１，８１間を連結する連結杆８２と、一対の脚部８１，８１の上端同士を結合した結合部８３からＶ字状の一対の脚部８１，８１と直交する方向、すなわち右方向へ延設する延設部８４とで一体に形成されている。この延設部８４は、筒状部２１へ圧入する圧入部として構成されている。エンジンブラケット８は、鋳鉄やアルミ二ウム又はアルミ二ウム合金で形成することができるが、本実施例ではアルミ二ウム又はアルミ二ウム合金で形成している。
【００４１】
さらに、エンジンブラケット８は、連結杆８２の下側およびには一対の脚部８１，８１をエンジン１０４に締結固定するためのフランジ部８１ａ，８２ａが形成されている。具体的に、フランジ部８１ａ，８２ａは、各脚部８１の下端部と連結杆８２の下側とに形成されており、このうち、連結杆８２の下側に形成したフランジ部８２ａは左方向へ突片状に形成されている。
【００４２】
図６、図９（ａ）に示すように、筒状部２１のエンジンブラケット８の圧入方向の先端側（右側）には、開口部２９ａを有し、該開口部２９ａの上縁辺と下縁辺の各前後方向の中間位置には、該先端側に配設された凹状ストッパ部４１へ向けて突出して該凹状ストッパ部４１を構成する内壁４１１の後述する係合溝２５（図５参照）に係合する係合突片２４が形成されている。
【００４３】
係合突片２４は、右側へ直線状に突出するとともに筒軸方向に直角（軸直方向）に屈曲する屈曲部２４ａを備えており、先端部が下方へ直線状に突出している。すなわち、開口部２９ａの上縁辺に形成した係合突片２４は先端部が下方へ向くように屈曲されるとともに、開口部２９ａの下縁辺に形成した係合突片２４は先端部が上方へ向くように屈曲されており、これにより、上下一対の係合突片２４，２４は、夫々の先端部が上下方向で対向するように突出する（図６参照）。なお、係合突片２４は、筒状部２１を製造時に、筒状に押し出し成形した後で係合突片２４に相当する部分を曲げ加工する等して形成することができる。
【００４４】
図６に示すように、凹状ストッパ部４１は、ストッパ本体４２とストッパラバー４３とで構成され、ストッパ本体４２は、内壁４１１と、該内壁４１１よりも前記コア２７に対して離間する右側で内壁４１１に対して対向配置された外壁４１２と、内壁４１１および外壁４１２をこれらの下端部で連結する下壁４１３とにより、前後方向の直交断面が上方へ向けて開口した凹状部分４１ａを有して一体に形成されている。図６、図８に示すように、外壁４１２の右面（外面）には、上下方向および前後方向に延びる複数のリブ４５ａを左方向視で格子状に配置した補強部４５が形成されている。
【００４５】
図６に示すように、凹状ストッパ部４１の内壁４１１における外壁４１２との対向面（右側面）と、外壁４１２における内壁４１１との対向面（左側面）とには、ウレタンやゴム等の弾性部材で形成された板状のストッパラバー４３が接着等により固着されている。
【００４６】
内壁４１１と外壁４１２とは、夫々ストッパラバー４３を固着した状態において後述する凸状ストッパ部４６（図３参照）を差し込み可能であるとともに、エンジン１０４を規制したい変位量に応じて設定された間隔を隔てて対向配置されている。
【００４７】
内壁４１１の外壁４１２との対向面４１１ａ（ガイド面）（図６参照）は、凸状ストッパ部４６との当接により、エンジンブラケット８の圧入により一体化された内側取付部材２が外側取付部材３に対して右方向、すなわちエンジンブラケット８の嵌入方向の相対変位量を制限する。
【００４８】
一方、外壁４１２の内壁４１１との対向面４１２ａ（ガイド面）（同図参照）は、凸状ストッパ部４６との当接により、エンジンブラケット８と圧入により一体化された内側取付部材２が外側取付部材３に対して左方向、すなわちエンジンブラケット８の嵌入方向と反対方向の相対変位量を制限する。
【００４９】
図５に示すように、内壁４１１の上縁辺と下縁辺の各左端かつ各前後方向の中間位置には、係合突片２４を係合する係合溝２５が形成されている。そして図６に示すように、この係合突片２４と係合溝２５とが係合された係合部分は、内壁４１１を形成する樹脂材料で覆ったモールド部２６（係合固着部）が形成されている。具体的には係合突片２４は、係合溝２５へ係合されるとともに内壁４１１を形成する樹脂材料に埋め込まれており、すなわち係合突片２４の少なくとも先端部は、内壁４１１を形成する樹脂材料によって囲繞されており、係合溝２５に係合した状態で内壁４１１に一体に固着されている。
【００５０】
図５、図６、図９（ｂ）に示すように、コア２７は、ラバー６の弾性特性を適性化するためにラバー６よりも硬質な樹脂やアルミ二ウム又はアルミ二ウム合金等の軽金属で形成することができ、本実施例では樹脂で形成されている。さらに、コア２７は、下方へ向けて徐々に縮径しながら突出する略円錐台形状に形成されている。
【００５１】
上述したように構成されるコア２７と凹状ストッパ部４１とは、弾性体としてのラバー６よりも硬質な樹脂材料により一体に形成されている。すなわち、図６に示すように、凹状ストッパ部４１は、コア２７に対して右側かつ上側へオフセットした位置に設けられ、凹状ストッパ部４１の下壁４１３の左端（内壁４１１の下端）とコア２７の上部右端とを互いに結合させた形状で一体に形成されている。
【００５２】
さらに下壁４１３の下方には、凹状ストッパ部４１の外壁４１２を補強するためにコア２７と外壁４１２とを連結する連結部２８（延設部）が設けられている。この連結部２８は、コア２７の外周面と下壁４１３の下面とで構成されるコーナー部に形成されており、コア２７から下壁４１３の左右方向において外壁４１２にオーバーラップする部位まで延設されている。図５、図６に示すように、コア２７の上面には、筒状部２１を載置する平坦状の載置面２７ｆが形成されており、筒状部２１の下壁４１３の下面と載置面２７ｆとは接着や熱溶着等により一体に固着されている。
【００５３】
図２、図４に示すように、外側取付部材３は、ベース部材３１とアウタ部材３５とエプロン取付ブラケット５０を備えて形成されており、これら３つの部材はいずれも金属製である。図５、図６〜図８に示すように、ベース部材３１は、ラバー取付部３２と、該ラバー取付部３２に対して前後方向に突出するとともにフロントサイドフレーム１００にボルトおよびナット等の締結手段を用いて取付ける一対のフランジ部３３，３３とで一体に形成されている。
【００５４】
ラバー取付部３２はフランジ部３３よりも上方に隆起した厚肉に形成し、その中央部には、上下方向に貫通してラバー６を嵌装するラバー嵌込み穴３２ａが形成されている（図５、図６参照）。ラバー嵌込み穴３２ａは平面視で左右方向に対して前後方向に長い楕円形状又は長穴形状で形成している。ラバー嵌込み穴３２ａの内周面は、上方へ向けて徐々に拡径した例えば、テーパ状に形成されている。ラバー取付部３２の上面部の左端辺には、上方に隆起したラバー支持台３２bが形成され、そのラバー支持台３２bの平坦状の上面部には、前後方向に延びる下側ラバー２３ｄが載置された状態で固着されている。
【００５５】
この下側ラバー２３ｄは、筒状部２１に圧入されたエンジンブラケット８の延設部８４の下面に対して、下方向の大荷重が入力したとき該下側ラバー２３ｄの上面が当接する上下方向の隙間を確保して対向している。
【００５６】
図２、図４に示すように、アウタ部材３５は、左右方向視でハット形状に形成し、同左右方向視で内側取付部材２を外側から覆う門形に形成した門形形成部３６と、該門形形成部３６の前下端から前方へ延びるとともに後下端から後方へ延びる一対のフランジ部３７，３７が形成されている。
【００５７】
上述のアウタ部材３５とベース部材３１との各フランジ部３３，３７にはボルト挿通用の前後方向に長い長穴状の貫通孔３３ａ，３７ａが形成されており（図４参照）、さらにベース部材３１のフランジ部３３には位置決め突起３３ｂが形成されるとともに、アウタ部材３５のフランジ部３７の位置決め突起３３ｂに対応する部位には、位置決め孔３７ｂが形成されている。そして、位置決め突起３３ｂと位置決め孔３７ｂとで位置決めした状態でベース部材３１のフランジ部３３と、アウタ部材３５のフランジ部３７と、フロントサイドフレーム１００の上壁部とは、ボルト、ナット等の不図示の締結部材により共締め固定されている。すなわち、これら３部材３１，３５，１００の共締めにより、アウタ部材３５とベース部材３１を一体化するとともに、外側取付部材３をフロントサイドフレーム１００へ取り付けている。
【００５８】
アウタ部材３５、すなわち門形形成部３６は、図４に示すように、前壁部３６１と上壁部３６２と後壁部３６３とを有して一体に形成されており、該門形形成部３６の前壁部３６１と、筒状部２１の前壁部３６１に装着した前側ラバー２３ｆとは、前方向の大荷重が入力したとき当接する前後方向の隙間を確保して対向している。同様に上壁部３６２と上側ラバー２３ｕとは、上方向の大荷重が入力したとき当接する上下方向の隙間を確保して対向し、後壁部３６３と後側ラバー２３ｒとは、後方向の大荷重が入力したとき当接する前後方向の隙間を確保して対向している。
【００５９】
図３に示すように、アウタ部材３５の上壁部３６２の下面であって、凹状ストッパ部４１の上方で対向する部位には、該凹状部分４１ａ（下方）に向けて突出する凸状ストッパ部４６が形成されている。この凸状ストッパ部４６は、凹状ストッパ部４１と前後方向にオーバーラップする位置に前後方向に沿って形成されている。
【００６０】
凹状ストッパ部４１の凹状部分４１ａに差し込まれた凸状ストッパ部４６は、左右各側のストッパラバー４３，４３に対して左右方向の大荷重が入力された時に当接（係合）する間隔を確保して配置されている（図３参照）。
【００６１】
要するに、上述した凹状ストッパ部４１と凸状ストッパ部４６とで、内側取付部材２の外側取付部材３に対する左右方向（筒状部２１の筒軸方向）の相対位置を規制するストッパ手段４０が形成されている。
【００６２】
図３、図４に示すように、エプロン取付ブラケット５０は、アウタ部材３５の上壁部３６２の上面に溶着等で固着された基部側取付片５１と、該基部側取付片５１に対して屈曲して右斜め上方へ延出し、エプロンメンバにボルトおよびナット等で取り付けられる先端側取付片５２とで一体に形成されている。
【００６３】
ラバー６は、上下方向の中間位置に周方向の左側を除く部位に鍔部６１ａを有する略羽釜形状の外形形状で形成され、鍔部６１ａを含めたラバー中間部６１と、ラバー中間部６１に対して上側のラバー上部６２と、ラバー中間部６１に対して下側のラバー下部６３とでゴムやウレタンなどの弾性樹脂等の弾性部材により一体に上下方向に厚みをもたせて形成している。ラバー６は、ラバー上部６２とラバー中間部６１とラバー下部６３との夫々の平面視で中心位置において上下方向に延びるラバー軸方向に沿って同心状に一体に形成されており、ラバー嵌込み穴３２ａに対応させて平面視で左右方向に対して前後方向に長い楕円形状に形成されている。
【００６４】
ラバー上部６２は、上方へ突の円錐台形状に形成され、その上面部には、ラバー軸方向を中心としてラバー中間部６１に達する深さを有した有底凹状のコア嵌込凹所６ａがコア２７の形状に対応させて形成されている。ラバー上部６２のこのコア嵌込凹所６ａを形成する内周面は、コア２７の外周面に対応させてすり鉢状に形成されている。  
そして、コア嵌込凹所６ａにコア２７が嵌め込まれた状態でコア２７の外周面とコア嵌込凹所６ａの内周面とが一体に固着されている。
【００６５】
ラバー下部６３は、下方へ突の円錐台形状に形成されその外周面は、ベース部材３１のラバー嵌込み穴３２ａの内周面に対応して上方へ向けて拡径したテーパ面が形成されている。なお、ラバー下部６３の下面部には、ラバー軸方向を中心として上方へ凹んだ凹所６３ｂが形成されている（図３参照）。
【００６６】
そして、ベース部材３１のラバー嵌込み穴３２ａにラバー下部６３が嵌め込まれた状態でラバー下部６３の外周面とラバー嵌込み穴３２ａの内周面とが一体に固着されている。
【００６７】
上述した本実施例の自動車の防振装置１としてのエンジンマウント１Ｒは、被支持部材としてのパワーユニット１０６側に取り付けられる第１取付部材としての内側取付部材２と、車体側部材としてのフロントサイドフレーム１００およびエプロンメンバ（図示省略）に取り付けられる第２取付部材としての外側取付部材３と、パワーユニット１０６側から車体側へ伝達する振動を吸収、減衰するラバー６とを備え、内側取付部材２には、パワーユニット１０６側に有するエンジンブラケット８が圧入（嵌装）される筒状部２１を備えるとともに、ラバー６よりも硬質のコア２７が一体に設けられ、内側取付部材２のコア２７を含む部位と、外側取付部材３との間に前記のラバー６が介在されたものであって（  図１〜図８参照）、内側取付部材２に設けられた第１ストッパ部としての凹状ストッパ部４１と、外側取付部材３における該凹状ストッパ部４１に対向する部位に設けられた第２ストッパ部としての凸状ストッパ部４６とで、内側取付部材２と外側取付部材３との相対変位を規制するストッパ手段４０が形成され（図３〜図７参照）、凹状ストッパ部４１は、筒状部２１よりもエンジンブラケット８の圧入方向の先端側部位にコア２７と一体に設けられ、筒状部２１の凹状ストッパ部４１との対向部位に、筒状部２１の軸直方向に先端側が屈曲して該凹状ストッパ部４１におけるストッパ面を形成する内壁４１１に一体に係合する係合突片２４が設けられたものである（図６参照）。
【００６８】
上記構成によれば、筒状部２１におけるエンジンブラケット８の圧入方向の先端側、すなわち筒状部２１の右方向端部に設けた係合突片２４を凹状ストッパ部４１における内壁４１１に一体に係合したため、凹状ストッパ部４１と筒状部２１との結合力を向上させることができる。さらに、凹状ストッパ部４１はコア２７と一体に形成されているため、結果的にコア２７と筒状部２１の結合力を向上させることができる。
【００６９】
すなわち、係合突片２４により、筒状部２１と凹状ストッパ部４１とを一体に係合するとともに筒状部２１とコア２７とを一体に結合することにより、金属製の筒状部２１に樹脂製のコア２７を結合するための構造を別途、設ける必要がなく構造をシンプル化できるとともに軽量化することができる。
【００７０】
さらに、係合突片２４により、凹状ストッパ部４１と筒状部２１との結合力が高まるため、樹脂製の凹状ストッパ部４１を金属製の筒状部２１で補強することができ、凹状ストッパ部４１に加わる荷重を筒状部２１でも受け止めることができる。
【００７１】
つまり、筒状部２１はエンジンブラケット８の圧入の負荷に耐え得るように金属製で形成する一方でコア２７と凹状ストッパ部４１とは共に樹脂で形成することが可能となり、必要な強度を確保したうえで効率よく軽量化することができる。具体的には、コア２７と凹状ストッパ部４１とは共に金属よりも軽量な樹脂で形成することができつつ、筒状部２１を金属で形成することにより、エンジンブラケット８の圧入の負荷に耐え得るように例えば樹脂で筒状部２１を厚肉に形成した場合のようにかえって重量が嵩むことがなく、軽量化することができる。
【００７２】
また、本実施例のストッパ手段４０は、従来（例えば、特許文献１）のように、筒状部２１（圧入される部材）を備えた内側取付部材２と、エンジンブラケット８（圧入する部材）との間で構成するのではなく、該ストッパ手段４０を防振装置１自体に設けたため、エンジンブラケット８の筒状部２１への圧入量の誤差の影響を受けることなくパワーユニット１０６に車幅方向の大荷重が作用した際の変位をより厳密に規制することができる。
【００７３】
詳しくは、仮に、内側取付部材２の筒状部２１に圧入されるエンジンブラケット８と、防振装置１自体に備えた外側取付部材３とが相互に当接し合うことで、内側取付部材２と外側取付部材３との筒状部２１の筒軸方向についての変位を規制するようなストッパ手段を備えた構成においては、エンジンブラケット８の筒状部２１への圧入量に応じて、当接し合う部材（３，８）の当接位置、すなわちストッパ手段４０による規制位置に違いが生じることになる。
【００７４】
そうすると、ストッパ手段による規制位置がエンジンブラケット８の圧入の誤差に応じてバラつくことになり、車両の制動時や旋回時に生じる車体自体の慣性による負荷と、パワーユニット１０６がストッパによりその移動が規制されることにより生じるパワーユニット１０６の慣性による負荷とが段階的に乗員に加わることで乗員が抱く車両の剛性感（操安性）の悪化を招くおそれがあった。
【００７５】
これに対して本実施例のストッパ手段４０、すなわち凹状ストッパ部４１と凸状ストッパ部４６とを、共に防振装置１自体に設けたため、エンジンブラケット８の筒状部２１への圧入量の誤差の影響を受けることなく被支持部材としてのパワーユニット１０６の変位をより厳密に規制することができる。
【００７６】
しかも、本実施例においてはストッパ手段４０が樹脂製であることに加えて、エンジンブラケット８（圧入する部材）をストッパ手段４０の一部として構成せずに、該ストッパ手段４０をエンジンマウント１Ｒの構成部材のみによって構成しているが、係合突片２４により、ストッパ荷重の筒状部２１への分散性が向上するため、樹脂製のストッパ手段４０の負担を軽減してその耐久性を向上させることができる。
【００７７】
加えて、係合突片２４によって筒状部２１と凸状ストッパ部４６との結合力が向上したため、ストッパ荷重の筒状部２１への分散性が向上し、ストッパ手段４０が樹脂製であっても、該ストッパ手段４０により、パワーユニット１０６が所定の変位量を超えて変位しないように確実に受け止めることができる。  
従って、ストッパ手段４０のストッパ性能を向上させることができる。
【００７８】
ここで、係合突片２４は、内壁４１１に単に係合するだけでなく、屈曲部２４ａを有してしっかりと係合溝２５に係合するとともに、係合突片２４の少なくとも先端部が内壁４１１の一部を形成する樹脂材料に埋設した状態で係合されるため、係合突片２４と内壁４１１との一体性が高まり、凹状ストッパ部４１から筒状部２１への優れた荷重分散性を得ることができる。
【００７９】
以上より、車両に大きな荷重が加わった際にも、被支持部材としてのパワーユニット１０６の変位を厳密なタイミングで規制することが可能となり、乗員が抱く剛性感（操安性）を向上させることができる。すなわち、本実施例のエンジンマウント１Ｒは、自動車に搭載するうえで好適な防振装置とすることができる。
【００８０】
この発明の態様として、凹状ストッパ部４１は、上述した内壁４１１と、該内壁４１１よりもコア２７に対して離間する側に有する外壁４１２と、下壁４１３とにより、突状の凸状ストッパ部４６と係合する断面凹状に形成され、下壁４１３に、外壁４１２とコア２７を連結する連結部２８が設けられたものである（図６、図８参照）。
【００８１】
上記構成によれば、外壁４１２とコア２７を連結する連結部２８を設けたため、コア２７を利用して凹状ストッパ部４１の外壁４１２を補強することができるとともに、筒状部２１の筒軸方向（左右方向）においてパワーユニット１０６が内壁４１１の有する側と反対側（凸状ストッパ部４６が外壁４１２の側（ストッパラバー４３）へ当接する側）への変位（いわゆる抜け側変位）も強固に規制することができる。
【００８２】
すなわち、凹状ストッパ部４１に内壁４１１だけでなく外壁４１２を備えることで１つの防振装置１によって、筒状部２１の筒軸方向の両方向の側（左右両側）についてパワーユニット１０６が変位することを規制できるため、内壁４１１によって１方向の変位のみ規制するものと比較してより多機能化することができる。
【００８３】
さらに、外壁４１２とコア２７を連結する連結部２８を設けることにより、生産性も向上させることができる。
【００８４】
具体的には、連結部２８を設けることで、コア２７と凹状ストッパ部４１との一体成形時にその成形型の内部において、コア２７に相当する部位から外壁４１２に相当する部位へ樹脂材料を、下壁４１３に相当する部位を介してだけでなく連結部２８に相当する部位を介して確実に流し込むことができるため、成形時の樹脂の流動性を高めることができる。  
従って凹状ストッパ部４１に外壁４１２を備えた構成においても連結部２８を設けることで、コア２７と外壁４１２とを一体成形した部材の生産性（成形性）を高めることができる。
【００８５】
またこの発明の態様として、被支持部材をパワーユニット１０６としたものである。  
上記構成によれば、軽量な樹脂製のコア２７を備えた構成としても重い部品の変位規制を確実に制御でき操安性を向上することができる。
【００８６】
詳述すると、一般にパワーユニット１０６のような重量物である車載部品は防振装置を介して車体側部材に支持する必要があるが、本実施例のエンジンマウント１Ｒは、従来の防振装置のようにパワーユニット１０６の振動を減衰および吸収するだけではなく、旋回時や制動時など走行時の車両の挙動の特性を厳密にコントロールすることにより操安性を高めつつ、軽量化することができるため、自動車用に搭載するうえで好適な構成とすることができる。
【００８７】
また言うまでもなく、上述した作用効果は、エンジンマウント１Ｒのみならず、ミッションマウント１Ｌについても同様の作用効果を奏することができる。
【００８８】
また上述した自動車の防振構造は、上述した内壁４１１と外壁４１２と下壁４１３とにより断面凹状に形成された上述した凹状ストッパ部４１を備えた防振装置１を、パワーユニット１０６の幅向の一方側（右側）に配設されたエンジンマウント１Ｒと、幅向の他方側（左側）に配設されたミッションマウント１Ｌとで構成され、エンジンマウント１Ｒは、パワーユニット１０６の右側に有するフロントサイドフレーム１００および図外のエプロンメンバに取り付けられ、該エンジンマウント１Ｒに備えたストッパ手段４０により幅方向の右側から相対変位量を規制するとともに、ミッションマウント１Ｌは、パワーユニット１０６の左側に有するフロントサイドフレーム１００およびエプロンメンバに取り付けられ、該ミッションマウント１Ｌに備えたストッパ手段４０により幅方向の左側から相対変位量を規制するものである（図１参照）。
【００８９】
このように、凹状ストッパ部４１に内壁４１１と外壁４１２を備えた自動車の防振装置１（１Ｒ，１Ｌ）を、パワーユニット１０６の左右各側に設けることにより、幅方向のいずれの方向へパワーユニット１０６が変位した場合であっても、パワーユニット１０６の左右夫々に配設した防振装置１Ｒ，１Ｌが協働してストッパ荷重を分散して受け止めることができる。これにより、パワーユニット１０６の所定量以上の変位を確実に規制することができるとともに、左右一方側の防振装置１にストッパ荷重が集中することを防ぐことができる。
【００９０】
すなわち、ストッパ手段４０を一般に金属よりも軽量であるが強度に劣る樹脂で形成しても、ストッパ手段４０としての強度を確保するために肉厚に形成するなどしてかえって金属よりも重量化することがなく、このような樹脂製のストッパ手段４０を備えることで防振装置１Ｒ，１Ｌを左右ともに小型軽量化を図りつつ車体変形（剛性感悪化）を抑制することができる。
【００９１】
しかも、パワーユニット１０６に対して左右一方側の防振装置によりパワーユニット１０６のストッパ荷重を受け止める構成を採用した場合には、該一方側の防振装置だけでなく、該一方側の防振装置を支持する車体側支持部にも負担がかかることになる。そうすると、車体側支持部の補強も必要となり、それに伴って車体重量が増えるおそれがある。
【００９２】
これに対して、左右夫々に配設した防振装置１によってパワーユニット１０６のストッパ荷重を分散して受け止めることにより、車体側支持部の負担を軽減し、防振装置自体の小型軽量化に加えて防振装置を支持する車体側支持部の軽量化も図ることができるとともに、車体の揺れを抑えることができる。
【００９３】
また、上述した実施例の筒状部２１は、鋼材などの金属材料で形成した筒状部本体２２に膜状の筒状部装着ラバー２３を固着したものである。これにより筒状部本体２２の内周面は、膜状の内周ラバー２３ａによって覆われた状態となるため、アルミ二ウム又はアルミ二ウム合金で形成したエンジンブラケット８の延設部８４を筒状部２１に圧入する際に、圧入し易くすることができる。
【００９４】
この発明の構成と、上述の実施例との対応において、この発明の自動車の防振装置は、本実施例のエンジンマウント１Ｒ、ミッションマウント１Ｌに対応し、以下同様に、  
被支持部材の幅向の一方側の防振装置は、エンジンマウント１Ｒに対応し、  
被支持部材の幅向の他方側の防振装置は、ミッションマウント１Ｌに対応し、  
第１取付部材は、内側取付部材２に対応し、  
第２取付部材は、外側取付部材３に対応し、  
ブラケットは、エンジンブラケット８に対応し、  
第１ストッパ部は、凹状ストッパ部４１に対応し、  
第２ストッパ部は、凸状ストッパ部４６に対応し、  
車体側部材は、フロントサイドフレーム１００およびエプロンメンバに対応し、  
被支持部材は、パワーユニット１０６に対応し、  
第１ストッパ部におけるストッパ面を形成する壁部は、内壁４１１に対応し、  
ブラケットの圧入方向は、右方向に対応するも、この発明は、上述の実施例の構成のみに限定されるものではない。
【００９５】
例えば、上述した実施例の係合突片２４においては筒状部２１におけるエンジンブラケット８の圧入方向の先端側（すなわち筒軸方向の右端）の開口部２９ａにおける上縁辺と下縁辺の各前後方向の中間位置に形成したが、本発明の係合突片は、この構成に限らず、開口部２９ａの上縁辺と下縁辺のいずれか一方に形成してもよく、また、図９（ｃ）に示す他の実施例の筒状部２１Ａに設けた係合突片２４Ａのように、開口部２９ａの周縁部全体に、開口部２９ａの中心に向けて屈曲させて形成するなど、開口部２９ａの周縁部の少なくとも一部に形成することができる。なお、図９（ｃ）は他の実施例の筒状部本体の右側面図を示している。  
言うまでもなく、係合溝についても図５に示す係合溝２５に限定せず、係合突片２４Ａの形成箇所に対応させて内壁４１１における係合突片２４Ａが係合可能な箇所に形成することができる（図示省略）。
【００９６】
また、本発明の筒状部は、上述した実施例の筒状部２１のように内周面を膜状の内周ラバー２３ａで覆う実施形態に限らず、覆わない実施形態としてもよい。具体的に図１０（ａ）は他の実施例の内側取付部材を示す斜視図であり、図１０（ｂ）は他の実施例のコアと筒状部を図３のＢ−Ｂ線に相当する矢視により模式的に示した断面図である。但し、図１０（ａ）は筒状部本体２２の外周面に装着した筒状部装着ラバー２３としての上側ラバー２３ｕ、前側ラバー２３ｆ、後側ラバー２３ｒの図示を省略している。
【００９７】
図１０（ａ）、（ｂ）に示す筒状部２１Ｂは、筒状部本体２２をアルミ二ウム系材料（アルミ二ウム又はアルミ二ウム合金）で形成し、該筒状部本体２２の内周面を膜状の内周ラバー２３ａで覆わずに筒状部本体２２の内周面が露出している一方で、筒状部本体２２の外周面全体をラバー筒状部２７Ｂ２で覆ったものである。このラバー筒状部２７Ｂ２は、筒状部本体２２の外周面に装着可能にコア部２７Ｂの上部に筒状に配置され、コア部２７Ｂと同じ樹脂材料でコア部２７Ｂとともに一体に形成されている。
【００９８】
上記構成によれば、筒状部本体２２をラバー筒状部２７Ｂ２によって覆うようにして保持することができるため、コア部２７Ｂと筒状部本体２２とは、それぞれ樹脂と金属とで材質が異なるが、互いに一体性を高めることができる。さらに、筒状部２１Ｂは、アルミ二ウム系材料で形成したエンジンブラケット８に対応させて、アルミ二ウム系材料で形成した筒状部本体２２の内周面を膜状の内周ラバー２３ａで覆わずに露出させているため、筒状部２１Ｂにエンジンブラケット８の延設部８４を圧入したとき、共にアルミ二ウム系材料で形成したエンジンブラケット８と筒状部本体２２とが直接、接触した状態となるため、圧入時の剛性を確保することができるとともに、異種金属接触腐食の影響を防ぐことができる。
【００９９】
但し、本発明に備えた内側取付部材２は、図１０（ａ）、（ｂ）に示すように、アルミ二ウム系材料で形成した筒状部本体２２の外周面全体をラバー筒状部２７Ｂ２で覆った構成において、図１０（ｃ）に示す筒状部２１Ｃのように、筒状部本体２２の内周面を膜状の内周ラバー２３ａで覆った実施形態を採用してもよい。なお、図１０（ｃ）はさらに他の実施例のコアと筒状部を図３のＢ−Ｂ線に相当する矢視により模式的に示した断面図である。
【０１００】
このように、本発明に備えた内側取付部材は、筒状部２２の内周面と外周面とのうち少なくとも一方に筒状部装着ラバー２３を備えた構成としてもよく、また、筒状部２２の内周面と外周面との双方に筒状部装着ラバー２３を備えずに構成した構成も排除するものではない。
【産業上の利用可能性】
【０１０１】
以上説明したように、本発明は、車体側部材に支持される被支持部材側に有するブラケットが圧入される筒状部を備えた第１取付部材に、前記ラバーよりも硬質のコアが一体に設けられ、前記第１取付部材の前記コアを含む部位と、前記車体側部材側に取り付ける第２取付部材との間に前記ラバーが介在された自動車の防振装置および自動車の防振構造について有用である。
【符号の説明】
【０１０２】
１Ｒ…エンジンマウント（一方側の防振装置）
１Ｌ…ミッションマウント（他方側の防振装置）
２…内側取付部材（第１取付部材）
３…外側取付部材（第２取付部材）
４…ラバー
８…エンジンブラケット（ブラケット）
２１…筒状部
２４…係合突片
２７…コア
２８…連結部
４０…ストッパ手段
４１…凹状ストッパ部（第１ストッパ部）
４６…凸状ストッパ部（第２ストッパ部）
１００…フロントサイドフレーム（車体側部材）
１０６…パワーユニット（被支持部材）
４１１…内壁（壁部）
４１２…外壁部
４１３…下壁部
【図１】
2018013228.tif 000003
【図２】
2018013228.tif 000004
【図３】
2018013228.tif 000005
【図４】
2018013228.tif 000006
【図５】
2018013228.tif 000007
【図６】
2018013228.tif 000008
【図７】
2018013228.tif 000009
【図８】
2018013228.tif 000010
【図９】
2018013228.tif 000011
【図１０】
2018013228.tif 000012